【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
液体を流す貫通口が設けられた弁座と、
前記弁座と当接して前記貫通口を閉じる状態と、前記弁座と離間して前記貫通口を開く状態とを、前記弁座に対する相対移動により切り替える弁体と、
前記弁座と前記弁体との当接回数を計測する当接回数計測手段と、
を備え、
前記当接回数計測手段により計測された前記当接回数に応じて、所定の流速で前記貫通口を介して前記液体を流す
ことを特徴とする弁装置。
【請求項２】
前記当接回数計測手段により計測された前記当接回数に応じて、所定の流速で前記貫通口を介して前記液体を流すとともに、前記当接回数をリセットすることを特徴とする請求項１に記載の弁装置。
【請求項３】
前記所定の流速は、前記弁座と前記弁体とが当接する当接面に堆積した堆積物が流される流速であることを特徴とする請求項１又は２に記載の弁装置。
【請求項４】
前記所定の流速で前記液体を流す前記当接回数は、前記貫通口を流れる前記液体の種類により異なることを特徴とする請求項１〜３の何れか一項に記載の弁装置。
【請求項５】
前記所定の流速で前記液体を流す前記当接回数は、前記貫通口を流れる前記液体と、前記弁座と前記弁体とが当接する当接面と、の組み合わせにより異なることを特徴とする請求項１〜４の何れか一項に記載の弁装置。
【請求項６】
前記当接回数計測手段により計測された前記当接回数の累積値の増加に合わせて前記所定の流速で前記貫通口を介して前記液体を流す頻度は漸減することを特徴とする請求項１〜５の何れか一項に記載の弁装置。
【請求項７】
前記当接回数計測手段により計測された前記当接回数に応じて、前記貫通口を介して流れる前記液体の流速を、第１流速から前記所定の流速である第２流速に切り替える流量制御手段を備え、
前記第２流速は、前記第１流速よりも速いことを特徴とする請求項１〜６の何れか一項に記載の弁装置。
【請求項８】
前記第２流速は、最も速い流速であることを特徴とする請求項７に記載の弁装置。
【請求項９】
請求項１〜８の何れか一項に記載の弁装置と、
被噴射媒体に前記液体を噴射する記録ヘッドと、
を備える液体噴射装置。
【請求項１０】
前記当接回数計測手段は、印刷ジョブの回数を計測することを特徴とする請求項９に記載の液体噴射装置。
【請求項１１】
前記当接回数計測手段は、前記印刷ジョブの回数に加えて、前記印刷ジョブの印刷が一時中断された回数を計測することを特徴とする請求項１０に記載の液体噴射装置。
【請求項１２】
前記当接回数計測手段は、前記印刷ジョブの回数に加えて、印刷以外で前記液体が消費された回数を計測することを特徴とする請求項１０又は１１に記載の液体噴射装置。
【請求項１３】
液体を流す貫通口が設けられた弁座と、
前記弁座と当接して前記貫通口を閉じる状態と、前記弁座と離間して前記貫通口を開く状態とを、前記弁座に対する相対移動により切り替える弁体と、
前記弁座と前記弁体との当接回数を計測する当接回数計測手段と、
を備えた弁装置の制御方法であって、
前記当接回数計測手段により計測された前記当接回数に応じて、所定の流速で前記貫通口を介して前記液体を流す
ことを特徴とする弁装置の制御方法。
【請求項１４】
液体を流す貫通口が設けられた弁座と、
前記弁座と当接して前記貫通口を閉じる状態と、前記弁座と離間して前記貫通口を開く状態とを、前記弁座に対する相対移動により切り替える弁体と、
前記弁座と前記弁体との当接回数を計測する当接回数計測手段と、
被噴射媒体に前記液体を噴射する記録ヘッドと、
を備えた液体噴射装置の制御方法であって、
前記当接回数計測手段により計測された前記当接回数に応じて、所定の流速で前記貫通口を介して前記液体を流す
ことを特徴とする液体噴射装置の制御方法。
【手続補正２】
【補正対象書類名】明細書
【補正対象項目名】発明の名称
【補正方法】変更
【補正の内容】
【発明の名称】弁装置及びその制御方法、並びに液体噴射装置及びその制御方法
【手続補正３】
【補正対象書類名】明細書
【補正対象項目名】０００１
【補正方法】変更
【補正の内容】
【０００１】
本発明は、流路の途中に設けられて当該流路を開閉する弁装置及びその制御方法、並びに液体噴射装置及びその制御方法に関する。
【手続補正４】
【補正対象書類名】明細書
【補正対象項目名】００１０
【補正方法】変更
【補正の内容】
【００１０】
本発明はこのような事情に鑑み、液体の成分の堆積を抑制して液体のリークを抑制することができる弁装置及びその制御方法、並びに液体噴射装置及びその制御方法を提供することを目的とする。
【手続補正５】
【補正対象書類名】明細書
【補正対象項目名】００１１
【補正方法】変更
【補正の内容】
【００１１】
本発明の態様は、液体を流す貫通口が設けられた弁座と、前記弁座と当接して前記貫通口を閉じる状態と、前記弁座と離間して前記貫通口を開く状態とを、前記弁座に対する相対移動により切り替える弁体と、前記弁座と前記弁体との当接回数を計測する当接回数計測手段と、を備え、前記当接回数計測手段により計測された前記当接回数に応じて、所定の流速で前記貫通口を介して前記液体を流すことを特徴とする弁装置にある。
かかる態様では、弁体と弁座との当接回数に基づいて所定の流速で貫通口を介して液体を流すことで、弁体と弁座との当接によって堆積した堆積物を所定の流速の液体によって排除することができる。
ここで、前記当接回数計測手段により計測された前記当接回数に応じて、所定の流速で前記貫通口を介して前記液体を流すとともに、前記当接回数をリセットすることが好ましい。これによれば、弁体と弁座との当接によって堆積した堆積物を確実に所定の流速の液体によって排除することができる。
また、前記所定の流速は、前記弁座と前記弁体とが当接する当接面に堆積した堆積物が流される流速であることが好ましい。これによれば、所定の流速で液体を流すことで、堆積物を下流に流して排除することができる。
また、前記所定の流速で前記液体を流す前記当接回数は、前記貫通口を流れる前記液体の種類により異なることが好ましい。これによれば、堆積物の成長速度に合わせて当接回数を異ならせることで液体の無駄な消費を抑制することができる。
また、前記所定の流速で前記液体を流す前記当接回数は、前記貫通口を流れる前記液体と、前記弁座と前記弁体とが当接する当接面と、の組み合わせにより異なることが好ましい。これによれば、堆積物の成長速度に合わせて当接回数を異ならせることで液体の無駄な消費を抑制することができる。
また、前記当接回数計測手段により計測された前記当接回数の累積値の増加に合わせて前記所定の流速で前記貫通口を介して前記液体を流す頻度は漸減することが好ましい。これによれば、所定の流速で液体を流す頻度を低減して、液体の無駄な消費を抑制することができる。
また、前記当接回数計測手段により計測された前記当接回数に応じて、前記貫通口を介して流れる前記液体の流速を、第１流速から前記所定の流速である第２流速に切り替える流量制御手段を備え、前記第２流速は、前記第１流速よりも速いことが好ましい。これによれば、常に第２流速で液体を流すことなく、当接回数に基づいて第２流速とするため、液体の無駄な消費を抑制することができる。
また、前記第２流速は、最も速い流速であることが好ましい。これによれば、最も速い第２流速で液体を流すことで、堆積物を下流に流して排除することができる。
さらに、本発明の他の態様は、上記態様の弁装置と、被噴射媒体に前記液体を噴射する記録ヘッドと、を備える液体噴射装置にある。
かかる態様では、弁体と弁座との当接によって堆積した堆積物を所定の流速の液体によって排除することができ、液体のリークによるノズル開口からの液体垂れを抑制することができる。
ここで、前記当接回数計測手段は、印刷ジョブの回数を計測することを特徴とすることが好ましい。これによれば、弁体と弁座との実際の当接回数に相関のある印刷ジョブの回数を計測することで、センサー等が不要となる。
また、前記当接回数計測手段は、前記印刷ジョブの回数に加えて、前記印刷ジョブの印刷が一時中断された回数を計測することが好ましい。これによれば、弁体と弁座との実際の当接回数に近い値を計測することができる。
また、前記当接回数計測手段は、前記印刷ジョブの回数に加えて、印刷以外で前記液体が消費された回数を計測することが好ましい。これによれば、弁体と弁座との実際の当接回数に近い値を計測することができる。
また、本発明の他の態様は、液体を流す貫通口が設けられた弁座と、前記弁座と当接して前記貫通口を閉じる状態と、前記弁座と離間して前記貫通口を開く状態とを、前記弁座に対する相対移動により切り替える弁体と、前記弁座と前記弁体との当接回数を計測する当接回数計測手段と、備えた弁装置の制御方法であって、前記当接回数計測手段により計測された前記当接回数に応じて、所定の流速で前記貫通口を介して前記液体を流すことを特徴とする弁装置の制御方法にある。
かかる態様では、弁体と弁座との当接回数に基づいて所定の流速で貫通口を介して液体を流すことで、弁体と弁座との当接によって堆積した堆積物を所定の流速の液体によって排除することができる。
また、本発明の他の態様は、液体を流す貫通口が設けられた弁座と、前記弁座と当接して前記貫通口を閉じる状態と、前記弁座と離間して前記貫通口を開く状態とを、前記弁座に対する相対移動により切り替える弁体と、前記弁座と前記弁体との当接回数を計測する当接回数計測手段と、被噴射媒体に前記液体を噴射する記録ヘッドと、を備えた液体噴射装置の制御方法であって、前記当接回数計測手段により計測された前記当接回数に応じて、所定の流速で前記貫通口を介して前記液体を流すことを特徴とする液体噴射装置の制御方法にある。
かかる態様では、弁体と弁座との当接回数に基づいて所定の流速で貫通口を介して液体を流すことで、弁体と弁座との当接によって堆積した堆積物を所定の流速の液体によって排除することができる。
他の態様は、液体を流す貫通口が設けられた弁座と、前記弁座と当接して前記貫通口を閉じる状態と、前記弁座と離間して前記貫通口を開く状態とを、前記弁座に対する相対移動により切り替える弁体と、前記弁座と前記弁体との当接回数に応じて、前記貫通口を介して流れる液体の流速を、第１流速から第２流速に切り替える流量制御手段と、を備え、前記第２流速は、前記第１流速よりも速いことを特徴とする弁装置にある。
かかる態様では、弁体と弁座との当接回数に基づいて第１流速から第２流速に切り替えることにより、弁体と弁座との当接によって堆積した堆積物を第２流速によって排除することができる。また、常に第２流速で液体を流すことなく、当接回数に基づいて第２流速とするため、液体の無駄な消費を抑制することができる。
【手続補正６】
【補正対象書類名】明細書
【補正対象項目名】００１２
【補正方法】変更
【補正の内容】
【００１２】
前記第２流速は、前記弁座と前記弁体とが当接する当接面に堆積した堆積物が流される流速であることが好ましい。これによれば、第２流速で液体を流すことで、堆積物を下流に流して排除することができる。
【手続補正７】
【補正対象書類名】明細書
【補正対象項目名】００１３
【補正方法】変更
【補正の内容】
【００１３】
前記第２流速は、最も速い流速であることが好ましい。これによれば、最も速い第２流速で液体を流すことで、堆積物を下流に流して排除することができる。
【手続補正８】
【補正対象書類名】明細書
【補正対象項目名】００１４
【補正方法】変更
【補正の内容】
【００１４】
前記第１流速から前記第２流速へ切り替える前記当接回数は、前記貫通口を流れる液体の種類により異なることが好ましい。これによれば、堆積物の成長速度に合わせて第２流速に切り替える当接回数を異ならせることで液体の無駄な消費を抑制することができる。
【手続補正９】
【補正対象書類名】明細書
【補正対象項目名】００１５
【補正方法】変更
【補正の内容】
【００１５】
前記第１流速から前記第２流速へ切り替える前記当接回数は、前記貫通口を流れる前記液体と、前記弁座と前記弁体とが当接する当接面と、の組み合わせにより異なることが好ましい。これによれば、堆積物の成長速度に合わせて第２流速に切り替える当接回数を異ならせることで液体の無駄な消費を抑制することができる。
【手続補正１０】
【補正対象書類名】明細書
【補正対象項目名】００１６
【補正方法】変更
【補正の内容】
【００１６】
前記第１流速から前記第２流速への切り替えは繰り返し行われ、前記第１流速から前記第２流速へ切り替えられる頻度は漸減することが好ましい。これによれば、堆積物の成長速度に合わせて第２流速に切り替える当接回数を異ならせることで液体の無駄な消費を抑制することができる。
【手続補正１１】
【補正対象書類名】明細書
【補正対象項目名】００１７
【補正方法】変更
【補正の内容】
【００１７】
他の態様は、液体を流す貫通口が設けられた弁座と、前記弁座と当接して前記貫通口を閉じる状態と、前記弁座と離間して前記貫通口を開く状態とを、前記弁座に対する相対移動により切り替える弁体と、前記貫通口を介して流れる液体の流速を、第１流速と第２流速とに切り替える流量制御手段と、を備えた弁装置の制御方法であって、前記流量制御手段は、前記弁座と前記弁体との当接回数に応じて、前記第１流速から当該第１流速よりも速い前記第２流速に切り替えることを特徴とする弁装置の制御方法にある。
かかる態様では、弁体と弁座との当接回数に基づいて第１流速から第２流速に切り替えることにより、弁体と弁座との当接によって堆積した堆積物を第２流速によって排除することができる。また、常に第２流速で液体を流すことなく、当接回数に基づいて第２流速とするため、液体の無駄な消費を抑制することができる。